(57)【要約】      （修正有）【課題】検出装置の運転状態指示方法を提供する。【解決手段】検出装置が運転エラーの発生有無を判断するステップ１０１と、判断結果が運転エラーが発生したことである場合、検出装置外部のエラー指示部材にエラー指示信号を送信し１０２、判断結果が運転エラーが発生していないことである場合、検出装置外部の運転指示部材に運転指示信号を送信するステップ１０３と、を含む。本発明によれば、検出装置外部の指示部材により直観的に装置内部の異なる運転状況を指示し、測定結果の正確性を高めて装置使用の安全性を確保することができる。【選択図】図１
2020109393.tif 000002
【特許請求の範囲】
【請求項１】
検出装置の状態指示方法において、
前記検出装置が運転エラーの発生有無を判断することと、
前記判断結果が運転エラーが発生したことである場合、前記検出装置外部のエラー指示部材にエラー指示信号を送信し、
前記判断結果が運転エラーが発生していないことである場合、前記検出装置外部の運転指示部材に運転指示信号を送信することと、を含むことを特徴とする、検出装置の状態指示方法。
【請求項２】
前記検出装置外部の運転指示部材に運転指示信号を送信する前に、前記検出装置が運転予備検査を行ったか否かを確定し、
確定結果が前記検出装置が運転予備検査を行ったことであるとともに、前記判断結果が運転エラーが発生していないことである場合、前記検出装置外部の第一運転指示部材に第一運転指示信号を送信し、
確定結果が前記検出装置が運転予備検査を行っていないことであるとともに、前記判断結果が運転エラーが発生していないことである場合、前記検出装置外部の第二運転指示部材に第二運転指示信号を送信すること、をさらに含み、
前記第一運転指示部材と第二運転指示部材は、前記検出装置の異なる運転状態を示すことを特徴とする、請求項１に記載の指示方法。
【請求項３】
前記検出装置が運転予備検査を行ったか否かを確定する前に、
前記検出装置が第一運転モードで運転されているか、それとも第二運転モードで運転されているかを判断することをさらに含み、
前記判断結果が前記第一運転モードで運転されていることである場合、前記検出装置が運転予備検査を行ったか否かを確定し、
前記判断結果が前記第二運転モードで運転されていることである場合、前記判断結果が運転エラーが発生していないことである場合、前記検出装置外部の第一運転指示部材に第一運転指示信号を送信することを特徴とする、請求項２に記載の指示方法。
【請求項４】
前記検出装置が原子吸光分光光度計であることを特徴とする、請求項３に記載の指示方法。
【請求項５】
前記運転エラーは初期化エラー及び／又は本体エラーを含み、
前記第一運転モードがフレーム式原子吸収スペクトルモードであり、前記第二運転モードがグラファイト炉吸収スペクトルモードであり、且つ前記運転予備検査がガス漏れ検査であることを特徴とする、請求項４に記載の指示方法。
【請求項６】
前記指示部材が表示器中の異なる文字及び／又は符号、異なる色のランプ、異なる音声のうちの少なくとも１種の方式で前記検出装置の異なる運転状態を指示することを特徴とする、請求項１〜５のいずれか１項に記載の指示方法。
【請求項７】
検出装置において、
前記検出装置の運転エラーが発生したか否かを判断するための第一判断ユニットと、
前記検出装置外部のエラー指示部材にエラー指示信号を送信するためのエラー送信ユニットと、
前記検出装置外部の運転指示部材に運転指示信号を送信するための運転送信ユニットと、を備えることを特徴とする検出装置。
【請求項８】
前記検出装置が運転予備検査を行ったか否かを確定するための確定ユニットと、
前記検出装置が第一運転モードで運転されているか、それとも第二運転モードで運転されているかを判断するための第二判断ユニットと、をさらに備え、
前記運転送信ユニットは、
前記検出装置外部の第一運転指示部材に第一運転指示信号を送信するための第一送信サブユニットと、
前記検出装置外部の第二運転指示部材に第二運転指示信号を送信するための第二送信サブユニットと、を備えることを特徴とする、請求項７に記載の検出装置。
【請求項９】
前記検出装置が原子吸光分光光度計であり、
前記運転エラーは初期化エラー及び／又は本体エラーを含み、
前記第一運転モードがフレーム式原子吸収スペクトルモードであり、前記第二運転モードがグラファイト炉吸収スペクトルモードであり、且つ前記運転予備検査がガス漏れ検査であることを特徴とする、請求項８に記載の検出装置。
【請求項１０】
前記指示部材は、表示器中の異なる文字及び／又は符号、異なる色のランプ、異なる音声のうちの少なくとも１種の方式で前記検出装置の異なる運転状態を指示することを特徴とする、請求項７〜９のいずれか１項に記載の検出装置。
【請求項１１】
指令が記憶され、該指令が機械において実行される時に、機械に請求項１〜６のいずれか１項に記載の検出装置の状態指示方法を実行させることを特徴とする機械可読媒体。
【請求項１２】
システムにおいて、
請求項１〜６のいずれか１項に記載の検出装置の状態指示方法を実行するための制御器と、
前記制御器で実行する指令を記憶するためのメモリと、を備えることを特徴とするシステム。
【発明の詳細な説明】
【技術分野】
【０００１】
本発明は検出装置分野に関し、特に、検出装置の状態指示方法、並びにその装置、媒体及びシステムに関する。
【背景技術】
【０００２】
一般に、検出装置の運転状態が、操作を実施するソフトウェアのインターフェースに表示されている。装置の運転状態を確定するには、（装置本体を操作するための）ソフトウェアインターフェース上の文字を操作することにより確認するほかがない。例えば、原子吸光分光光度計は、光源、原子化システム、分光システム、検出システム、ソフトウェアを運転操作するためのコンピュータからなる。装置の運転状態は、初期化、測定待機、測定開始、測定中等の状態を含む。ソフトウェアを操作するソフトウェアインターフェース上に文字形式で装置の運転状態を表示する。したがって、もし装置が運転中において各種のエラーが発生した場合、ユーザーがタイムリーにソフトウェアインターフェースで発生したエラーを発見しなければ、測定結果に影響をもたらすことになり、ひいては、隠れた安全危険をもたらす。例えば、装置の運転条件によっては易燃性ガスが必要な測定もあり、このような場合には、故障やエラー内容をタイムリーに確認しなければ、爆発などが発生する可能性があり、隠れた安全危険をもたらす。
【発明の概要】
【発明が解決しようとする課題】
【０００３】
本発明の目的は、検出装置外部の指示部材により直観的に装置内部の異なる運転状況を示し、測定結果の正確性を高めて装置使用の安全性を確保できる検出装置の状態指示方法を提供することにある。
【課題を解決するための手段】
【０００４】
上記の技術課題を解決するために、本発明の実施形態は、検出装置の状態指示方法を開示している。該方法は、前記検出装置が運転エラーの発生有無を判断することと、前記判断結果が運転エラーが発生したことである場合、前記検出装置外部のエラー指示部材にエラー指示信号を送信し、前記判断結果が運転エラーが発生していないことである場合、前記検出装置外部の運転指示部材に運転指示信号を送信することと、を含む。
【０００５】
一つの具体例では、前記方法は、前記検出装置外部の運転指示部材に運転指示信号を送信する前に、前記検出装置が運転予備検査を行ったか否かを確定することと、前記確定結果が前記検出装置が運転予備検査を行ったことであるとともに、前記判断結果が運転エラーが発生していないことである場合、前記検出装置外部の第一運転指示部材に第一運転指示信号を送信することと、前記確定結果が前記検出装置が運転予備検査を行っていないことであるとともに、前記判断結果が運転エラーが発生していないことである場合、前記検出装置外部の第二運転指示部材に第二運転指示信号を送信することと、をさらに含む。前記第一運転指示部材と第二運転指示部材は、前記検出装置の異なる運転状態を示す。
【０００６】
もう一つの具体例では、前記検出装置が運転予備検査を行ったか否かを確定する前に、前記検出装置が第一運転モードで運転されているか、それとも第二運転モードで運転されているかを判断することをさらに含み、前記判断結果が第一運転モードで運転されていることである場合、前記検出装置が運転予備検査を行ったか否かを確定し、前記判断結果が第二運転モードで運転されていることである場合、前記判断結果が運転エラーが発生していない場合、前記検出装置外部の第一運転指示部材に第一運転指示信号を送信する。
【０００７】
もう一つの具体例では、前記検出装置が原子吸光分光光度計である。
もう一つの具体例では、前記運転エラーには初期化エラー及び／又は本体エラーを含み、前記第一運転モードがフレーム式原子吸収スペクトルモードであり、前記第二運転モードがグラファイト炉吸収スペクトルモードであって、且つ前記運転予備検査がガス漏れ検査である。
【０００８】
もう一つの具体例では、前記指示部材が表示器中の異なる文字及び／又は符号、異なる色のランプ、異なる音声のうちの少なくとも１種の方式で前記検出装置の異なる運転状態を指示する。
【０００９】
本発明の実施形態は、前記検出装置の運転エラーが発生したか否かを判断するための第一判断ユニットと、前記検出装置外部のエラー指示部材にエラー指示信号を送信するためのエラー送信ユニットと、前記検出装置外部の運転指示部材に運転指示信号を送信するための運転送信ユニットと、を備える検出装置をさらに開示している。
【００１０】
一つの具体例では、上記検出装置は、前記検出装置が運転予備検査を行ったか否かを確定するための確定ユニットと、前記検出装置が第一運転モードで運転されているか、それとも第二運転モードで運転されているかを判断するための第二判断ユニットと、をさらに備え、前記運転送信ユニットが、前記検出装置外部の第一運転指示部材に第一運転指示信号を送信するための第一送信サブユニットと、前記検出装置外部の第二運転指示部材に第二運転指示信号を送信するための第二送信サブユニットと、を備える。
【００１１】
もう一つの具体例では、前記検出装置が原子吸光分光光度計であり、前記運転エラーには初期化エラー及び／又は本体エラーを含み、前記第一運転モードがフレーム式原子吸収スペクトルモードであり、前記第二運転モードがグラファイト炉吸収スペクトルモードであって、且つ前記運転予備検査がガス漏れ検査である。
【００１２】
もう一つの具体例では、前記指示部材が表示器中の異なる文字及び／又は符号、異なる色のランプ、異なる音声のうちの少なくとも１種の方式で前記検出装置の異なる運転状態を指示する。
【００１３】
本発明の実施形態は、指令が記憶され、該指令が機械において実行される時、上述したいずれかの検出装置の状態指示方法を機械に実行させる機械可読媒体をさらに開示している。
【００１４】
本発明の実施形態は、上述したいずれかの検出装置の状態指示方法を実行するための制御器と、その制御器で実行する指令を記憶するためのメモリと、を備えるシステムをさらに開示している。
【発明の効果】
【００１５】
本発明の実施形態と従来技術とを比べて、主な相違及びその効果は、検出装置外部の指示部材により直観的に装置内部の異なる運転状況を指示し、ユーザーが迅速に観察して判断するように援助して、測定結果の正確性を高めて装置使用の安全性を確保できることにある。
【図面の簡単な説明】
【００１６】
【図１】本発明第一実施形態による検出装置の状態指示方法のフローを示す図である。
【図２】本発明第二実施形態による検出装置の状態指示方法のフローを示す図である。
【図３】本発明の状態指示部材の一例を示す図である。
【図４】本発明の状態指示部材の一例を示す図である。
【図５】本発明の第三実施形態による原子分光光度計の初期化段階における状態指示方法のフローを示す図である。
【図６】本発明の第三実施形態による原子分光光度計の測定段階における状態指示方法のフローを示す図である。
【図７】本発明の第四実施形態による検出装置の構造を示す図である。
【図８】本発明の第五実施形態による検出装置の構造を示す図である。
【発明を実施するための形態】
【００１７】
以下の説明において、読者に本願をよりよく理解させるために、多くの技術詳細を提出した。しかし、当業者が理解できるのは、たとえこれらの技術詳細や以下の各実施形態による種々の変化や変更がなくても、本願の各請求項の保護を要求する技術手段を実現できる。
【００１８】
本発明の目的、技術案及び優れた点をよりはっきりさせるために、以下、図面を合わせて本発明の実施形態についてさらに詳しく説明する。
【００１９】
本発明の第一実施形態は検出装置の状態指示方法に関する。図１は該検出装置の状態指示方法のフローを示す図である。
【００２０】
具体的には、図１に示すように、該検出装置の状態指示方法は、次のステップを含む。
ステップ１０１では、検出装置が運転エラーの発生有無を判断する。
【００２１】
理解できるのは、本発明の運転エラーとは、使用時に発生した、検出装置が正常に運転できなくなる各種のエラー、例えば、始動の際の初期化で生じたエラー、装置の振動、測定水位が正常な範囲外にある等のような装置運転の各段階で発生した本体エラーを指す。
【００２２】
判断結果が「ＹＥＳ」である場合、ステップ１０２に入り、さもなくば、ステップ１０３に入る。
【００２３】
ステップ１０２では、検出装置外部のエラー指示部材にエラー指示信号を送信する。この後、本フローを終了する。
【００２４】
ステップ１０３では、検出装置外部の運転指示部材に運転指示信号を送信する。この後、本フローを終了する。
【００２５】
理解できるのは、本発明の各実施形態では、エラー指示部材と運転指示部材が異なる物体でもよく、同一の物体でもよい。例えば、エラー指示部材と運転指示部材が異なる色のランプ（例えば、赤色と緑色）である。又はエラー指示部材と運転指示部材が同一のランプであり、エラー指示信号と運転指示信号を受信した時、異なる色を表示する。さらに、エラー指示部材と運転指示部材が音声を出す装置であり、異なる指示信号を受信した後、異なる音声提示を放送し、例えば、「初期化エラー発生」、「本体エラー発生」、「運転正常」等を放送する。また、理解できるのは、指示部材の意図が使用者に異なる指示情報を伝達することにあり、これらの情報を伝達さえすれば、任意の形態の指示部材でも本発明の技術案に用いることができ、本発明に言及した形態に限らない。
【００２６】
検出装置外部の指示部材により直観的に装置内部の異なる運転状況を指示でき、使用者が迅速に観察して判断するように援助して、測定結果の正確性を高めて装置使用の安全性を確保できる。
【００２７】
本発明の第二実施形態は検出装置の状態指示方法に関する。図２は該検出装置の状態指示方法のフローを示す図である。
【００２８】
具体的には、図２に示すように、該方法は次のステップを含む。
ステップ２０１では、検出装置が運転エラーの発生有無を判断する。
【００２９】
判断結果が「ＹＥＳ」である場合、ステップ２０２に入り、さもなくば、ステップ２０３に入る。
【００３０】
ステップ２０２では、検出装置外部のエラー指示部材にエラー指示信号を送信する。この後、本フローを終了する。
【００３１】
ステップ２０３では、検出装置が運転予備検査を行ったか否かを確定する。理解できるのは、本発明の各実施形態では、運転予備検査とは、検出装置が検出する前に行われる検査、例えば、ガス漏れ検査、光測定装置の光学素子位置の検査等を指す。
【００３２】
確定結果が「ＹＥＳ」である場合、ステップ２０４に入り、さもなくば、ステップ２０５に入る。
【００３３】
ステップ２０４では、検出装置外部の第一運転指示部材に第一運転指示信号を送信する。この後、本フローを終了する。
【００３４】
ステップ２０５では、検出装置外部の第二運転指示部材に第二運転指示信号を送信する。この後、本フローを終了する。
【００３５】
理解できるのは、本発明では、エラー指示部材と第一運転指示部材及び第二運転指示部材が異なる物体でもよく、同一の異なる指示目標を実現可能な物体でもよい。例えば、図３に示すように、検出装置の外部に三種の異なる色のランプを有し、例えばそれぞれ赤・黄・緑の三種の色であり、赤ランプがエラー指示部材であり、緑ランプが第一運転指示部材であり、黄ランプが第二運転指示部材である。赤ランプはエラー指示信号を受信した後、点灯される又は点滅開始される。同じ道理で、緑ランプと黄ランプは、相応の運転指示信号を受信した後、点灯される又は点滅開始されることになる。
【００３６】
また、指示部材は集積した一つの実際の部材でもよい。例えば、図４（ａ）−４（ｂ）に示すように、異なる指示信号を受信した時、表示パネルＡ上に異なる提示文字・符号を表示する。
【００３７】
また、指示部材は音声を出す装置でもよい。異なる指示信号を受信した後、異なる提示音声、例えば、「初期化エラー発生」、「本体エラー発生」、「運転正常」、「予備検査を実施していない」等を放送する。
【００３８】
また、指示部材は上記各種の形態の組合せでもよい。例えば、運転エラーが発生した時、表示パネル上に運転エラー発生の提示情報を表示して、同時に赤ランプを点滅させる。
【００３９】
検出装置外部の指示部材により直観的に装置内部の異なる運転状況を指示でき、使用者が迅速に観察して判断するように援助して、測定結果の正確性を高めて装置使用の安全性を確保できる。
【００４０】
本発明の第三実施形態は検出装置の状態指示方法に関する。図５と図６は該検出装置の状態指示方法のフローを示す図である。該実施形態では、検出装置が原子分光光度計であり、該原子分光光度計がフレーム式原子吸収スペクトルモード（即ち第一運転モード）とグラファイト炉吸収スペクトルモード（即ち第二運転モード）を備え、運転予備検査がガス漏れ検査である。
【００４１】
図５は原子分光光度計の初期化段階における状態指示方法を示している。具体的には、初期化段階で、運転エラーが初期化エラーであり、図５に示すように、該方法は、次のステップを含む。
【００４２】
ステップ５０１では、検出装置がフレーム式原子吸収スペクトルモードで運転されているか否かを判断する。
【００４３】
判断結果が「ＹＥＳ」である場合、ステップ５０２に入り、さもなくば、ステップ５０７に入る。
【００４４】
ステップ５０２では、検出装置がフレーム式原子吸収スペクトルモードでは、初期化エラーが発生したか否かを判断する。
【００４５】
判断結果が「ＹＥＳ」である場合、ステップ５０３に入り、さもなくば、ステップ５０４に入る。
【００４６】
ステップ５０３では、検出装置外部のエラー指示部材にエラー指示信号を送信する。この後、本フローを終了する。
【００４７】
ステップ５０４では、検出装置がガス漏れ検査を行ったか否かを確定する。
判断結果が「ＹＥＳ」である場合、ステップ５０５に入り、さもなくば、ステップ５０６に入る。
【００４８】
ステップ５０５では、検出装置外部の第一運転指示部材に第一運転指示信号を送信する。この後、本フローを終了する。
【００４９】
ステップ５０６では、検出装置外部の第二運転指示部材に第二運転指示信号を送信する。この後、本フローを終了する。
【００５０】
ステップ５０７では、検出装置がグラファイト炉吸収スペクトルモードでは、初期化エラーが発生したか否かを判断する。
【００５１】
判断結果が「ＹＥＳ」である場合、ステップ５０３に入り、さもなくば、ステップ５０５に入る。
【００５２】
図６は原子分光光度計の測定段階における状態指示方法を示している。具体的には、測定段階で、運転エラーが本体エラーであり、図６に示すように、該方法は次のステップを含む。
【００５３】
ステップ６０１では、検出装置がフレーム式原子吸収スペクトルモードで運転されているか否かを判断する。
【００５４】
判断結果が「ＹＥＳ」である場合、ステップ６０２に入り、さもなくば、ステップ６０７に入る。
【００５５】
ステップ６０２では、検出装置がフレーム式原子吸収スペクトルモードでは本体エラーが発生したか否かを判断する。
【００５６】
判断結果が「ＹＥＳ」である場合、ステップ６０３に入り、さもなくば、測定可能な状態にあることを表示し、ステップ６０４に入る。
【００５７】
ステップ６０３では、検出装置外部のエラー指示部材にエラー指示信号を送信する。この後、本フローを終了する。
【００５８】
ステップ６０４では、検出装置が初期化段階でガス漏れ検査を行ったか否かを確定する。
【００５９】
判断結果が「ＹＥＳ」である場合、ステップ６０５に入り、さもなくば、ステップ６０６に入る。
【００６０】
ステップ６０５では、検出装置外部の第一運転指示部材に第一運転指示信号を送信する。この後、本フローを終了する。
【００６１】
ステップ６０６では、検出装置外部の第二運転指示部材に第二運転指示信号を送信する。この後、本フローを終了する。
【００６２】
ステップ６０７では、検出装置がグラファイト炉吸収スペクトルモードでは本体エラーが発生したか否かを判断する。
【００６３】
判断結果が「ＹＥＳ」である場合、ステップ６０３に入り、さもなくば、測定可能な状態にあることを表示し、ステップ６０５に入る。
【００６４】
理解できるのは、該実施形態では、上記ステップが完了した後、測定状態に入って試料を測定し始めると、第三運転指示部材に測定指示信号をさらに送信することができ、該第三運転指示部材は装置が測定過程中にあることを指示できる。
【００６５】
理解できるのは、初期化エラーとは、装置を初期化する時、エラーが現れて初期化が完了不能になることを指し、本体エラーとは、装置の振動が発生することや、測定水位が正常な範囲外にあること等を指す。
【００６６】
本実施形態中の各指示部材の設置方式は、第一実施形態及び第二実施形態と同様である。
【００６７】
検出装置外部の指示部材により直観的に装置内部の異なる運転状況を指示でき、使用者が迅速に観察して判断するように援助して、測定結果の正確性を高めて装置使用の安全性を確保できる。
【００６８】
また、理解できるのは、本発明でいう検出装置は原子吸光分光光度計に限らず、その他の検出装置であってもよい。
【００６９】
本発明の各方法実施形態のいずれも、ソフトウェア、ハードウェア、ファームウェア等の方式で実現できる。本発明では、ソフトウェア、ハードウェア、ファームウェアのいずれかの方式で実現したにも関わらず、指令コードのいずれも如何なるタイプのコンピュータアクセス可能なメモリ（例えば、永久的又は修正可能なメモリ，揮発性又は非揮発性メモリ，ソリッドステート又は非ソリッドステートメモリ，固定の又は交換可能な媒体等）に記憶することができる。同様に、メモリは、例えば、プログラマブルアレイロジック（Programmable Array Logic，“PAL”と略称する）、ランダムアクセスメモリ（Random Access Memory，“RAM”と略称する）、プログラマブル読み出し専用メモリ（Programmable Read Only Memory，“PROM”と略称する）、読み出し専用メモリ（Read-Only Memory，“ROM”と略称する）、電気的消去可能なプログラマブル読み出し専用メモリ（Electrically Erasable Programmable ROM，“EEPROM”と略称する）、磁気ディスク、光ディスク、ディー・ブイ・ディー（Digital Versatile Disc，“DVD”と略称する）等であってもよい。
【００７０】
本発明の第四実施形態は検出装置に関する。図７は該検出装置の構造を示す図である。
具体的には、図７に示すように、該検出装置は、検出装置の運転エラーが発生したか否かを判断するための第一判断ユニット１０と、第一判断ユニット１０の判断結果が「ＹＥＳ」である場合、検出装置外部のエラー指示部材にエラー指示信号を送信するためのエラー送信ユニット２０と、第一判断ユニット１０の判断結果が「ＮＯ」である場合、検出装置外部の運転指示部材に運転指示信号を送信するための運転送信ユニット３０と、を備える。
【００７１】
理解できるのは、本発明でいう運転エラーとは、使用時に発生した、検出装置が正常に運転できなくなる各種のエラー、例えば、装置を始動させる際、初期化で生じたエラー、装置の振動や測定水位が正常な範囲外にあること等のような装置運転の各段階で発生した本体エラーを指す。
【００７２】
検出装置外部の指示部材により直観的に装置内部の異なる運転状況を指示でき、使用者が迅速に観察して判断するように援助して、測定結果の正確性を高めて装置使用の安全性を確保できる。
【００７３】
第一実施形態は本実施形態に対応する方法の実施形態であり、本実施形態は第一実施形態と互いに合わせて実施可能である。第一実施形態に言及された関連技術詳細は本実施形態において依然として有効であり、重複を減らすために、ここに繰り返さない。相応に、本実施形態に言及された関連技術詳細は第一実施形態に用いることもできる。
【００７４】
本発明の第五実施形態は検出装置に関する。図８は該検出装置の構造を示す図である。該実施形態では、検出装置が原子吸光分光光度計であり、且つ、運転エラーは初期化エラー及び／又は本体エラーを含み、且つ第一運転モードがフレーム式原子吸収スペクトルモードであり、第二運転モードがグラファイト炉吸収スペクトルモードであり、運転予備検査がガス漏れ検査である。
【００７５】
具体的には、図８に示すように、該検出装置は、検出装置の運転エラーが発生したか否かを判断するための第一判断ユニット５０と、第一判断ユニット５０の判断結果が「ＹＥＳ」である場合、検出装置外部のエラー指示部材にエラー指示信号を送信するためのエラー送信ユニット６０と、第一判断ユニット５０の判断結果が「ＮＯ」である場合、検出装置外部の運転指示部材に運転指示信号を送信するための運転送信ユニット７０と、検出装置が運転予備検査を行ったか否かを確定するための確定ユニット８０と、前記検出装置がフレーム式原子吸収スペクトルモードで運転されているかを判断するための第二判断ユニット９０と、を備え、また、運転送信ユニット７０は、第一判断ユニット５０の判断結果が「ＮＯ」であって、確定ユニット８０の確定結果が「ＹＥＳ」である場合、検出装置外部の第一運転指示部材に第一運転指示信号を送信するための第一送信サブユニット７２と、第一判断ユニット５０の判断結果が「ＮＯ」であって、確定ユニット８０の確定結果が「ＮＯ」である場合、検出装置外部の第二運転指示部材に第二運転指示信号を送信するための第二送信サブユニット７４と、を備える。
【００７６】
また、第一判断ユニット５０は、検出装置がフレーム式原子吸収スペクトルモードでは運転エラーが発生したか否かを判断するためのフレーム判断サブユニット５２と、検出装置がグラファイト炉吸収スペクトルモードでは運転エラーが発生したか否かを判断するためのグラファイト判断サブユニット５４と、を備える。
【００７７】
理解できるのは、本発明では、好ましくは、指示部材が、表示器中の異なる文字及び／又は符号、異なる色のランプ、異なる音声のうちの少なくとも１種の方式で、検出装置の異なる運転状態を指示する。
【００７８】
第三実施形態は本実施形態に対応する方法の実施形態であり、本実施形態は第三実施形態と互いに合わせて実施可能である。第三実施形態に言及された関連技術詳細は本実施形態において依然として有効であり、重複を減らすために、ここに繰り返さない。相応に、本実施形態に言及された関連技術詳細は第三実施形態に用いることもできる。
【００７９】
本発明の第六実施形態には機械可読媒体がさらに開示されている。該媒体に指令が記憶され、該指令が機械において実行される時、機械に第一〜第三実施形態のいずれか１項に開示された検出装置の状態指示方法を実行させる。
【００８０】
本発明の第七実施形態にはシステムがさらに開示されている。該システムは、システムの１つ又は複数の制御器で実行する指令を記憶するためのメモリと、システムの制御器の１つであり、第一〜第三実施形態のいずれか１項に開示された検出装置の状態指示方法を実行するための制御器と、を備える。
【００８１】
理解できるのは、ここに言及された制御器が如何なる指令を実行可能な、検出装置に適用する制御部品、例えば、中央処理器（CPU）、マイクロ制御ユニット（MCU）、デジタル信号処理（DSP）、PLC（プログラマブルロジック制御器）等であってもよい。
【００８２】
説明する必要があるのは、本発明の各装置の実施形態で言及された各ユニット／モジュールがともにロジックユニット／モジュールであり、物理上において、一つのロジックユニット／モジュールは、一つの物理ユニット／モジュールであってもよく、一つの物理ユニット／モジュールの一部であってもよく、なおさら複数の物理ユニット／モジュールの組合せで実現できる。これらのロジックユニット／モジュールそれ自体の物理的実現方式は最も重要なものではなく、これらのロジックユニット／モジュールに実現される機能の組合せこそ本発明に提出された技術課題を解決する鍵である。また、本発明のイノベーション部分を強調するために、本発明の上記各装置の実施形態では、本発明に提出された技術課題の解決とあまり関係が密接ではないユニット／モジュールを取り入れておらず、これは上記装置の実施形態にはその他のユニット／モジュールが存在しないことを表明するものではない。
【００８３】
説明する必要があるのは、本特許請求の範囲及び明細書において、第一や第二などのような関係用語はただ一つの実体又は操作と別の実体又は操作を区分するのに用いられただけであり、必ずしもこれらの実体又は操作の間には如何なるこのような実際の関係や順序が存在することを要求又は暗示するものではない。しかも、用語“含む”、“備える”又はその如何なるその他の変体の意味は非排他的な包含を含むことにあることによって、一連の要素を含むプロセス、方法、物品又は装置がそれらの要素を含むばかりでなく、明確に書き並べていないその他の要素をさらに含み、若しくはこのようなプロセス、方法、物品又は装置に固有の要素をさらに含む。より多くの制限がない場合には、語句「一つを含む」で限定された要素は、前記要素を含むプロセス、方法、物品又は装置には別の同一の要素が存在することを排除するものではない。
【００８４】
本発明のある好ましい実施形態を参照することで、本発明について図示や説明をしたが、当業者は、本発明の主旨や範囲から逸脱しない限り、形式や詳細において、に対して種々の変更可能であることを理解すべきである。 
【図１】
2020109393.tif 000003
【図２】
2020109393.tif 000004
【図３】
2020109393.tif 000005
【図４】
2020109393.tif 000006
【図５】
2020109393.tif 000007
【図６】
2020109393.tif 000008
【図７】
2020109393.tif 000009
【図８】
2020109393.tif 000010
【外国語明細書】
2020109393000001.pdf